(57)【特許請求の範囲】
【請求項１】
サイドウォール成型面に窪み部を設けたタイヤ用加硫金型において、前記窪み部が空気入りタイヤのサイドウォール部の外表面に設けられるプロテクト用突起を成型するためのものであり、前記窪み部のサイドウォール成型面の周方向に沿って切断した周方向断面形状を、少なくとも一方側がサイドウォール成型面から徐々に深さが大きくなるように変化する傾斜面を有する形状にしたタイヤ加硫用金型。
【請求項２】
前記サイドウォール成型面に対する前記傾斜面の傾斜角度が０．５°〜４°である請求項１に記載のタイヤ加硫用金型。
【請求項３】
前記タイヤ加硫用金型がタイヤ回転方向を指定された空気入りタイヤを成型する金型であって、前記少なくとも一方側がタイヤ回転方向側に位置する請求項１または２に記載のタイヤ加硫用金型。
【請求項４】
前記窪み部の周方向断面形状を、両側にサイドウォール成型面から徐々に深さが大きくなるように変化する傾斜面を有する断面三角形状または断面円弧状にした請求項１，２または３に記載のタイヤ加硫用金型。
【請求項５】
前記窪み部の頂点にエアを抜くためのベントホールを設けたことを特徴とする請求項１〜４のいずれかに記載のタイヤ加硫用金型。
【請求項６】
未加硫タイヤを加硫する際に、請求項１乃至５のいずれか１項に記載のタイヤ加硫用金型内に未加硫タイヤをセットして加硫する空気入りタイヤの製造方法。
【請求項７】
サイドウォール部の外表面に突起部を設けた空気入りタイヤにおいて、前記突起部がサイドウォール部を保護するプロテクト用突起であり、前記突起部のタイヤ周方向に沿って切断した周方向断面形状を、少なくとも一方側がサイドウォール部の外表面から徐々に高さが大きくなるように変化する傾斜面を有する形状にした空気入りタイヤ。
【請求項８】
前記サイドウォール部の外表面に対する前記傾斜面の傾斜角度が０．５°〜４°である請求項７に記載の空気入りタイヤ。
【請求項９】
タイヤ回転方向を指定された空気入りタイヤであって、前記少なくとも一方側がタイヤ回転方向側に位置する請求項７または８に記載の空気入りタイヤ。
【請求項１０】
前記突起部の断面形状を、両側にサイドウォール部の外表面から徐々に高さが大きくなるように変化する傾斜面を有する断面三角形状または断面円弧状にした請求項７，８または９に記載の空気入りタイヤ。
【請求項１１】
前記突起部の頂点の箇所に金型のベントホールを配置したことを特徴とする請求項７〜１０のいずれかに記載の空気入りタイヤ。
【発明の詳細な説明】
【技術分野】
【０００１】
本発明は、タイヤ加硫用金型、該金型を用いた空気入りタイヤの製造方法及び空気入りタイヤに関し、さらに詳しくは、サイドウォール成型面に設けた窪み部や突起部に起因する外観不良を改善するようにしたタイヤ加硫用金型、空気入りタイヤの製造方法及び空気入りタイヤに関する。
【背景技術】
【０００２】
一般に、空気入りタイヤのサイドウォール部の外表面には、図形、文字、記号、数字、銘柄、品種などの標章や模様が突設或いは凹設されている。また、サイドウォール部の外表面にサイドウォール部を保護するためのプロテクト用突起を設けたものもある。このような標章等は、金型のサイドウォール成型面に窪み部や突起部を設けて成型するようにしている（例えば、特許文献１参照）。
【０００３】
しかしながら、サイドウォール成型面に窪み部や突起部を設けると、加硫時に流動するゴムが窪み部や突起部の領域で円滑に流れないことがあり、その結果、標章等の外観不良を招くという問題があった。
【特許文献１】特開２００４−２０３２２７号公報
【発明の開示】
【発明が解決しようとする課題】
【０００４】
本発明の目的は、サイドウォール成型面に設けた窪み部や突起部に起因する外観不良を改善することが可能なタイヤ加硫用金型、空気入りタイヤの製造方法及び空気入りタイヤを提供するものである。
【課題を解決するための手段】
【０００５】
上記目的を達成する本発明のタイヤ加硫用金型は、サイドウォール成型面に窪み部を設けたタイヤ用加硫金型において、前記窪み部が空気入りタイヤのサイドウォール部の外表面に設けられるプロテクト用突起を成型するためのものであり、前記窪み部のサイドウォール成型面の周方向に沿って切断した周方向断面形状を、少なくとも一方側がサイドウォール成型面から徐々に深さが大きくなるように変化する傾斜面を有する形状にしたことを特徴とする。
【０００６】
本発明の空気入りタイヤの製造方法は、未加硫タイヤを加硫する際に、上記タイヤ加硫用金型内に未加硫タイヤをセットして加硫することを特徴とする。
【０００７】
本発明の空気入りタイヤは、サイドウォール部の外表面に突起部を設けた空気入りタイヤにおいて、前記突起部がサイドウォール部を保護するプロテクト用突起であり、前記突起部のタイヤ周方向に沿って切断した周方向断面形状を、少なくとも一方側がサイドウォール部の外表面から徐々に高さが大きくなるように変化する傾斜面を有する形状にしたことを特徴とする。
【発明の効果】
【０００８】
上述した本発明によれば、窪み部の断面形状をサイドウォール成型面から急激に変化させずに徐々に変化する傾斜面を有する形状にしたことにより、加硫時に窪み部で流動するゴムの流れを円滑にすることができるので、残留するエアを窪み部から効果的に逃がすことができる。従って、サイドウォール成型面に設けた窪み部に起因する外観不良の改善が可能になる。
【発明を実施するための最良の形態】
【０００９】
以下、本発明の実施の形態について添付の図面を参照しながら詳細に説明する。
図１〜３は本発明を説明するためのタイヤ加硫用金型の形態を示し、この金型Ｍは、環状の上下の金型１，２と、その間に配置した環状の側型３を有している。
【００１０】
上型１は、空気入りタイヤの一方のサイドウォール部の外表面を成型するサイドウォール成型面１ａを下面に有している。下型２は、空気入りタイヤの他方のサイドウォール部の外表面を成型するサイドウォール成型面２ａを上面に備えている。側型３は環状に配置された複数のセクター３Ｘから構成され、各セクター３Ｘは空気入りタイヤのトレッド面を成型するトレッド成型面３Ｘａを内側面に具備している。上型１及び下型２の内周側には空気入りタイヤのビード部を成型する上下のビードリング４，５が設けられている。
【００１１】
環状に延在するサイドウォール成型面１ａ，２ａには、後述する図８の空気入りタイヤ１０のサイドウォール部１１の外表面１１ａに突設される標章（図形、文字、記号、数字、銘柄、品種など）１２を成型するための窪み部６が設けられている。窪み部６は、図示する例では図形からなる標章１２を成型する例を示し、サイドウォール成型面１ａ，２ａの周方向Ｚに沿って切断した周方向断面形状（図３）において、サイドウォール成型面１ａ，２ａから徐々に深さが深くなるように変化する平面状の傾斜面６ａ，６ｂを両側に有する断面三角形状になっている。
【００１２】
サイドウォール成型面１ａ，２ａには、サイドウォール成型面の径方向に延在する微小凹部７（深さ０．３ｍｍ程度）が周方向Ｚに沿って所定の間隔で配列してあり、両傾斜面６ａ，６ｂは微小凹部７間に位置するサイドウォール成形面１ａ，２ａから徐々に変化する傾斜面になっている。
【００１３】
サイドウォール成型面１ａ，２ａに対する傾斜面６ａ，６ｂの傾斜角度α１は、窪み部６におけるゴム流れを良好にする観点から、４°以下にするのがよい。下限値は、加工性の点から０．５°以上にすることができる。好ましくは、１°〜２°がよい。
【００１４】
断面三角形状の窪み部６には、その頂点（最も深い位置）ａの箇所にエアを抜くためのベントホール８が設けられている。
【００１５】
断面三角形状の窪み部６は、図３ではその頂点ａが一方側に偏る三角形状にしたが、図４に示すように、頂点ａが中央に地位する断面三角形状であってもよく、頂点ａの位置は特に限定されない。また、図５に示すように、サイドウォール成型面１ａ，２ａから徐々に深さが深くなるように変化する曲率半径の大きな球面状（断面円弧状）の傾斜面６ａ，６ｂであってもよい。この場合、傾斜面６ａ，６ｂの傾斜角度α１は、サイドウォール成型面１ａ，２ａに接する傾斜面６ａ，６ｂの一端ｓ１と傾斜面６ａ，６ｂの他端（球面の場合は頂点）ｓ２とを結ぶ直線ＳＬの角度とする。以下の図１２，１９，２５に示す傾斜角度の場合も同様である。
【００１６】
図６，７に、文字Ｈからなる標章１２を成型するための窪み部６の例を示す。このような文字Ｈからなる標章１２であっても上記と同様にすることができる。また、図示せぬ他の標章である記号、数字、銘柄、品種なども同様である。
【００１７】
上述した図１〜３に示す金型を用いて製造した空気入りタイヤの例を図８〜１０に示す。この空気入りタイヤ１０は、サイドウォール部１１の外表面１１ａに標章１２が突設されている。タイヤ周方向Ｔに沿って切断した周方向断面形状（図１０）において、サイドウォール部１１の外表面１１ａから徐々に高さが高くなるように変化する平面状の傾斜面１２ａ，１２ｂを両側に有する断面三角形状になっている。
【００１８】
外表面１１ａには、タイヤ径方向に延在する微小リッジ１３（高さ０．３ｍｍ程度）がタイヤ周方向Ｔに沿って所定の間隔で配列してあり、両傾斜面１２ａ，１２ｂは微小リッジ１３間に位置するサイドウォール部１１の外表面１１ａから徐々に変化する傾斜面になっている。サイドウォール部１１の外表面１１ａに対する傾斜面１２ａ，１２ｂの傾斜角度β１は、上記傾斜角度α１と同じ角度である。
【００１９】
図１１に図４に示す窪み部６を有する金型で加硫成型した時の標章１２、図１２に図５に示す窪み部６を有する金型で加硫成型した時の標章１２、図１３に図６に示す窪み部６を有する金型で加硫成型した時の標章１２、図１４に図７に示す窪み部６を有する金型で加硫成型した時の標章１２の例を示す。
【００２０】
上述した空気入りタイヤ１０は、予め成形した未加硫タイヤを加硫する際に、タイヤ加硫用金型Ｍ内にセットして加硫することにより製造する。
【００２１】
上述した本発明によれば、突起部からなる標章１２を成型するための窪み部６の断面形状をサイドウォール成型面１ａ，２ａから急激に変化させずに徐々に深さが深くなるように変化する傾斜面６ａ，６ｂを有する形状にしたので、加硫時に流動するゴムが窪み部６に円滑に流れ込むようになるため、残留するエアをベントホール８から効果的に逃がすことができる。従って、突起部からなる標章１２の外観不良の改善が可能になる。
【００２２】
また、サイドウォール成型面１ａ，２ａの周方向Ｚに沿って切断した窪み部６の周方向断面形状を上記のようにすることで、空気入りタイヤ１０が回転した時に標章１２に対する空気抵抗を低減することができるので、タイヤの転がり抵抗を改善することができる。
【００２３】
また、窪み部６の形状を断面三角形状や球面状に形成することにより、残留するエアを頂点ａに集めることができるので、ベントホール８の数を減らすことができ、それによりベントホール８を加工する加工時間を削減して金型の生産性を高めることができる。
【００３６】
本発明において、窪み部６は、上述したようにサイドウォール成型面１ａ，２ａから徐々に変化する傾斜面６ａ，６ｂを両側に有する断面形状にするのが、外観不良をより効果的に改善する上で好ましいが、必ずしも両側を傾斜面６ａ，６ｂに形成する必要はなく、少なくとも一方側がサイドウォール成型面１ａ，２ａから徐々に変化する傾斜面６ａを有する形状であればよい。図１５にその一例を示す。
【００３７】
従って、空気入りタイヤ１０も、標章１２の断面形状を、少なくとも一方側がサイドウォール部１１の外表面１１ａから徐々に変化する傾斜面１２ａを有する形状であればよい。
【００３８】
このように少なくとも一方側を傾斜面にする場合、タイヤ回転方向が指定された空気入りタイヤを成型する金型にあっては、窪み部６の場合には少なくとも一方側がタイヤ回転方向側に位置するように配置するのがよく、これにより回転方向が指定された空気入りタイヤにおいて、突起部からなる標章１２の場合には少なくとも一方側（傾斜面１２ａ）がタイヤ回転方向側に位置するようになるので、上述した空気抵抗の低減が可能になる。
【００３９】
また、窪み部６は、周方向断面形状において傾斜面６ａ，６ｂを徐々に変化させるようにするのが空気抵抗の低減の点から好ましいが、それに限定されず、径方向断面形状や径方向に対して斜めに切断した断面形状においても、上述した傾斜面６ａ，６ｂを有する形状にしてもよい。
【００４１】
上記のように、窪み部６が、空気入りタイヤ１０のサイドウォール部１１の外表面１１ａに設けられる突起部からなる標章１２を成型する例を以って説明したが、本発明は、標章１２に代えて、空気入りタイヤ１０のサイドウォール部１１の外表面１１ａに突設されるプロテクト用突起を成型するものであり、この突起部を成型する際に好適に使用することができる。
【００４２】
本発明は、上述した上型１、下型２、側型３とを備えたセクショナル型のタイヤ加硫用金型に限定されず、上型１と下型２とからなる２分割構造のタイヤ加硫用金型であってもよい。
【実施例１】
【００４３】
タイヤサイズを２４５／４５Ｒ１９で共通にし、窪み部（最大深さ２ｍｍ）の傾斜面の傾斜角度α１を２°にした図１に示す金型（試験例１）を用いて、図３に示す突起部からなる標章をサイドウォール部に設けたタイヤと、窪み部（最大深さ２ｍｍ）の傾斜面の傾斜角度α１を６０°にした従来金型（従来例１）を用いて、図１６に示す突起部からなる標章をサイドウォール部に設けたタイヤを各１００本製造した。
【００４４】
製造した各タイヤの標章の外観不良を以下に示す方法により評価したところ、表１に示す結果を得た。
外観不良
熟練の検査員により目視検査を実施し、各タイヤの標章の角の状態が丸くなったり、或いは欠けがある場合を外観不良ありと判定し、その結果を○、△、×の３段階で評価した。○はタイヤ１００本中外観不良の発生したタイヤの数が１本以下、△は２〜５本、×は６本以上であることを示す。
【００４５】
【表１】
0004956948.tif 000002
【００４６】
表１から、試験例１は、サイドウォール部に設けた突起部からなる標章の外観不良を改善できることがわかる。
【図面の簡単な説明】
【００５１】
【図１】本発明を説明するためのタイヤ成形用金型の形態を示す半断面図である。
【図２】金型内側から見た図１の窪み部の拡大図である。
【図３】図２のＡ−Ａ矢視断面図である。
【図４】窪み部の他の例を示す拡大断面図である。
【図５】窪み部の更に他の例を示す拡大断面図である。
【図６】窪み部の更に他の例を金型内側から見た状態で示す拡大図である。
【図７】窪み部の更に他の例を金型内側から見た状態で示す拡大図である。
【図８】図１のタイヤ成形用金型を用いて製造した空気入りタイヤの一例を示す部分断面図である。
【図９】図８の標章の拡大図である。
【図１０】図９のＢ−Ｂ矢視断面図である。
【図１１】標章の他の例を示す拡大断面図である。
【図１２】標章の更に他の例を示す拡大断面図である。
【図１３】標章の更に他の例を示す拡大斜視図である。
【図１４】標章の更に他の例を示す拡大斜視図である。
【図１５】サイドウォール成型面に設けられる窪み部の更に他の例を示す拡大断面図である。
【図１６】従来の金型（従来例１）を用いて製造したタイヤの標章を示す拡大断面図である。
【符号の説明】
【００５２】
１  上型
１ａ  サイドウォール成型面
２  下型
２ａ  サイドウォール成型面
６  窪み部
６ａ，６ｂ  傾斜面
７  微小凹部
１０  空気入りタイヤ
１１  サイドウォール部
１１  外表面
１２  標章（突起部）
１２ａ，１２ｂ  傾斜面
１３  微小リッジ
Ｍ  タイヤ加硫用金型
Ｔ  タイヤ周方向
Ｚ  周方向
α１，α２，β１，β２  傾斜角度  
【図１】
0004956948.tif 000003
【図２】
0004956948.tif 000004
【図３】
0004956948.tif 000005
【図４】
0004956948.tif 000006
【図５】
0004956948.tif 000007
【図６】
0004956948.tif 000008
【図７】
0004956948.tif 000009
【図８】
0004956948.tif 000010
【図９】
0004956948.tif 000011
【図１０】
0004956948.tif 000012
【図１１】
0004956948.tif 000013
【図１２】
0004956948.tif 000014
【図１３】
0004956948.tif 000015
【図１４】
0004956948.tif 000016
【図１５】
0004956948.tif 000017
【図１６】
0004956948.tif 000018